(57)【要約】【課題】本願発明では、大口径で曲率の異なるトロイダル両凸レンズやミラーにより矩形または楕円状に集光された高密度太陽光を両凸トロイダル面であるビア樽状冷却水槽の中にある両凹トロイダルレンズで平行にした状態で冷却された固体レーザー媒質の被励起光入射面に垂直に太陽光を入射することにより均質で高出力高効率太陽励起レーザーを提供することができる。【解決手段】曲率の異なる2つの円柱面の軸が直交して構成する対物レンズ、あるいは曲率の異なる2つの円柱面の軸が直交して構成する放物面鏡の主鏡と副鏡を組み合わせたカセグレーン式光学系による対物鏡などで太陽光を矩形または楕円状に集光し、その光路中に備したビア樽型、鼓型、円筒型または箱型の冷却用水槽中で太陽光の集光面よりも短い点に、両凹トロイダル面と一体化したレーザー媒質を配置し、レーザー媒質に平行に高密度太陽光を均一に垂直入射する。【選択図】    図１８
2007227406.tif 000002
【特許請求の範囲】
【請求項１】
トロイダル面または円柱面あるいは球面などの対物面で受光した太陽光を直接あるいは光路中に置かれたトロイダル面あるいは円柱面で変形して矩形状または楕円状太陽光にした後、その焦線に平行で僅かに隔てた軸に対して回転可能なビア樽状または鼓状あるいは円筒状または平面状あるいは両凹トロイダル面状の入射窓を有する冷却水槽の中央部に設置したトロイダル面で矩形状高密度平行ビームに変換した後、あるいは平行ビームの場合はそのままで、そのビームをレーザー媒質の光軸に垂直入射することを特徴とする太陽光励起レーザー装置。
【請求項２】
前記トロイダル面を有する対物面が両凸トロイダルレンズまたは両凹トロイダル鏡であり、それらの矩形状または楕円状に集光された太陽光を直接ビア樽状または鼓状あるいは円筒状または平面状窓を有する冷却水槽に入射するか、主鏡としての両凹トロイダル鏡で矩形状に集光された太陽光を副鏡としての両凸トロイダル鏡で反射した後、主鏡の中央の開口部後方に置かれた平面状あるいは鼓状あるいは円筒状またはビア樽状入射窓を有する冷却水槽に入射することを特徴とする請求項1に記載の太陽光励起レーザー装置。
【請求項３】
前記円柱面を有する対物面が円柱凸レンズやフレネルレンズまたは凹円柱鏡であり、それらの短冊状に集光された太陽光を対物面に直交した軸を有する短冊状凸円柱レンズで矩形状または楕円状に集光した後、直接円筒状または平面状あるいはビア樽状または鼓状窓を有する冷却水槽に入射するか、主鏡としての凹円柱鏡で短冊状に集光された太陽光を副鏡として対物面の軸に平行な凹面でその直交軸を凸面有する短冊状凸凹トロイダル鏡で反射した後、主鏡の中央の開口部後方に置かれた平面状あるいは鼓状あるいは円筒状またはビア樽状入射窓を有する冷却水槽に入射することを特徴とする請求項1に記載の太陽光励起レーザー装置。
【請求項４】
前記球面を有する対物面が両凸または平凸レンズやフレネルレンズまたは凹面鏡または放物面鏡であり、それらの焦点の手前に円柱凹レンズを置き楕円状に集光された太陽光を直接ビア樽状または鼓状あるいは円筒状または平面状窓を有する冷却水槽に入射するか、主鏡としての凹面鏡または放物面鏡の焦点の手前に置かれた円柱凸面鏡で楕円状に集光された太陽光を直接ビア樽状または鼓状あるいは円筒状または平面状窓を有する冷却水槽に入射することを特徴とする請求項1に記載の太陽光励起レーザー装置。
【請求項５】
前記副鏡とは主鏡の焦線に平行な面が凹面であり、垂直な面が凸面である短冊状あるいは矩形状トロイダル鏡であり、かつ、副鏡を2軸方向に煽ることにより太陽を追尾することを特徴とする請求項1、２，３に記載の太陽光励起レーザー装置。
【請求項６】
前記焦線に平行で僅かに隔てた軸が共に焦線の前方にあるときはビア樽状の入射窓あるいは円筒状を有する冷却水槽の中央部に設置したトロイダル凹面で、軸が焦線の一方が後方、他方が前方にあるときは鼓状あるいは円筒状の入射窓を有する冷却水槽の中央部に設置したトロイダル凸凹面で、軸が共に焦線の後方にある時は両凹トロイダル面状あるいは平面状の入射窓を有する冷却水槽の中央部に設置したトロイダル両凸面で、夫々矩形状高密度平行ビームに変換した後、そのビームをレーザー媒質の光軸に垂直入射することを特徴とする請求項1に記載の太陽光励起レーザー装置。
【請求項７】
前記回転可能なビア樽状または鼓状あるいは円筒状または平面状あるいは両凹トロイダル面状の入射窓を有する冷却水槽とは集光された太陽光の入射波面が両方向共に冷却水槽の窓に垂直に入射するために2つの凸曲面によって構成されるトロイダル面を有するビア樽形状、太陽光の一方が発散で他方が集光の場合は太陽光の入射波面が両方向共に冷却水槽の窓に垂直に入射するために凹凸曲面によって構成されるトロイダル面を有する鼓形状、太陽光の両方が発散の場合は太陽光の入射波面が両方向共に冷却水槽の窓に垂直に入射するために両凸曲面によって構成されるトロイダル面形状、片方の波面のみ垂直に入射する円筒形状、光軸に沿って進む波面のみを垂直に入射する平面状窓であり、夫々の水槽が回転軸に沿って前記トロイダル凹レンズとレーザー媒質とが固定されており、かつ、この回転軸に沿って冷却水の入水口と排水口を有し、かつ、冷却水槽を回転することにより１回転で凹トロイダル面の数だけパルス発振させるパルスレーザー発振を行うことを特徴とする請求項1、６に記載の太陽光励起レーザー装置。
【請求項８】
前記両凹トロイダル鏡の短い方の焦線の手前に前記凹トロイダルレンズと一体化したレーザー媒質の入った前記回転可能なビア樽状または円筒状あるいは平面状の入射窓を有する冷却水槽を配置することを特徴とする請求項1、２、６，７に記載の太陽光励起レーザー装置。
【請求項９】
前記両凹トロイダル鏡を主鏡として一方の焦線の手前に副鏡として凸凸トロイダ鏡を置き、そこでの反射光を主鏡の中央の開口部を通してレーザー媒質の入った前記平面状の入射窓を有する冷却水槽を配置することを特徴とする請求項1、２に記載の太陽光励起レーザー装置。
【請求項１０】
前記レーザー媒質がスラブ型あるいはロッド型固体レーザー、液体レーザー、ガスレーザーあるいは液体レーザー励起固体レーザーであることを特徴とする請求項１記載の太陽光励起レーザー装置。
【請求項１１】
レーザー媒質に矩形状平行ビームを入射する為の前記トロイダル両凹レンズが石英ガラスであり、前記スラブ型あるいはロッド型固体レーザー媒質が異種材料から成る時、当該凹トロイダル面を有する合成石英レンズと固体レーザー媒質とをシリコーンオイルで光接着することを特徴とする請求項１，１０に記載の太陽光励起レーザー装置。
【請求項１２】
レーザー媒質に矩形状平行ビームを入射する為の前記トロイダル両凹レンズと前記スラブ型あるいはロッド型固体レーザーが同一母材であり、かつ、レーザー母材の中央部のみレーザー媒質がドープされており、レーザー媒質がドープされていない周辺部に凹トロイダル面を１から４面あるいは円周に沿って鼓状に形成することを特徴とする請求項１、１０に記載の太陽光励起レーザー装置。
【請求項１３】
レーザー媒質に矩形状平行ビームを入射する為に前記トロイダル両凹レンズを通した後、冷却水を介してレーザー媒質に平行ビームを入射することを特徴とする請求項１に記載の太陽光励起レーザー装置。
【請求項１４】
前記両凹トロイダル面と一体化したレーザー媒質の凹トロイダル面、あるいは凹トロイダルレンズとレーザー媒質とが分離している時にはレーザー媒質の太陽光が入射する面に夫夫シリコーンオイルを塗布た後、紫外線で光酸化して冷却水中での完全反射防止膜を形成させることを特徴とする請求項１，１１，１２，１３に記載の太陽光励起レーザー装置。
【発明の詳細な説明】
【技術分野】
【０００１】
本発明は、太陽光励起レーザー装置に関する。
【背景技術】
【０００２】
固体レーザーや液体レーザーなどの光励起源はXeやKrフラッシュランプや半導体レーザーがある。XeやKrフラッシュランプによる励起には楕円鏡の2つの焦点の一方にランプを、他方にレーザーロッドを配置する方法が取られている。また半導体励起では固体レーザーヘッドやロッドの極近傍に光学系を介さず半導体レーザーを置く。とくに高出力レーザーでは光源とレーザー媒質の間に冷却水を流す事が多い。
【０００３】
太陽光励起固体レーザーは、非特許文献１に示すように、１９６５年米国のC.G.Youngが太陽光を放物面鏡で集光してレーザーロッドに照射し、1.3 Wの連続発振に世界で最初に成功した。１９９８年イスラエルのワイツマン研究所では、非特許文献２に示すように太陽光をNd、Hoドープのアレキサンドライトレーザーに照射して、変換効率30％でkW級のレーザー発振に成功している。２００１年（財）レーザー技術総合研究所では、非特許文献３に示すように太陽光をフレネルレンズで集光し、その光を内面に高反射膜をコーティングした円筒形キャビティーの中に入れ、その中央部にレーザーロッドを固定して、キャビティー内壁の反射光によりレーザー励起する方法を提案している。２００２年米国航空宇宙局（NASA）のジェット推進研究所では、非特許文献４に示すように光ファイバーレーザーを束ねる方式を提案している。この様に放物面鏡やフレネルレンズを用い太陽光を千倍から一万倍に集光して、３準位または４準位レーザー媒質に効率良く吸収させると、発振に至る十分な反転分布を得ることができる。しかし太陽光を直接入射した時の熱的効果によるビーム品質や媒質のダメージが考えられるが、２００５年９月  矢部孝は非特許文献５において、冷却水中にレーザーヘッドを入れ、レーザー媒質の冷却と排水の熱水利用を提案している。そこで残された問題は太陽光を効率良くレーザー媒質に吸収させる方法である。
【特許文献１】特願平３-４４６９９  (特開平４−３１３７０１)
【特許文献２】特願昭５１−７９０５５
【特許文献３】実願  昭５８−０４７１９９  （実開昭５９−１５３５４８）
【特許文献４】特願  ２００３−２９８１５８  （特開  ２００５−０７０２４５）
【特許文献５】特願  ２００３−２９８１２４  （特開  ２００５−０７０２４３）
【非特許文献１】C.C.Young; Applied Optics, 5, p993 (1966)
【非特許文献２】Israel' ;IEEE Spectrum, May, p30 (1998)
【非特許文献３】今崎一男；レーザー・クロス、No. 158, p2 (2001)
【非特許文献４】D. Maynard; 撤ower Beaming Technology Vision & Goal  ,Proceeding of Space Solar Power Concept And Technology Maturation Program Technical Interchenge Meeting (2002)
【非特許文献５】矢部孝；東工大クロニクルNo. 402, p4 (2005. Sep.)
【非特許文献６】村原正隆他;撤hotochemical adhesion of fused silica glass for UV transmittance    Proc. of SPIE Vol.5647, p224 (2005)
【非特許文献７】久保田広；波動光学、岩波書店、p201 (1971)
【発明の開示】
【発明が解決しようとする課題】
【０００４】
太陽光を千倍から一万倍に集光して、３準位または４準位レーザー媒質に効率良く吸収させると、発振に至る十分な反転分布を得ることができる。これを満たすためのレーザー媒質ドープ研究が続けられている。ところが太陽光を平行光線として直接レーザー媒質に入射する方法の提案はない。その理由はレーザー媒質を円柱型ロッド構造としているからである。この構造をスラブ型構造にすれば、その励起形状に合わせ、矩形状ビームをレーザー媒質に直接平行光線として入射させる必要が生じる。
【０００５】
従って、本願発明では、矩形状または楕円状に集光された太陽光をトロイダル（トーリック）両凹レンズによりレーザー媒質の光軸に垂直に入射し高効率な太陽光直接励起を行うことを目的とする。
【課題を解決するための手段】
【０００６】
本発明者は、上記目的を達成すべく鋭意研究した結果、太陽光から矩形状あるいは楕円状ビームを形成するために曲率の異なる両凸トロイダルレンズや凸シリンドリカルレンズや帯状プリズムを組み合わせたフレネルレンズと凸シリンドリカルレンズの組み合わせあるいは角柱面の軸が直交して構成する多面体両凸面プリズムやなどの対物レンズまたは球面レンズや凹面鏡あるいは放物面鏡の焦点近傍に置かれた凹シリンドリカルレンズとの組み合わせ、あるいは曲率の異なる両凹トロイダル鏡や2つの円柱面の軸が直交して構成する凹面鏡や放物面鏡の主鏡と副鏡を組み合わせたカセグレーン式光学系による対物鏡などの大口径対物光学系で太陽光を矩形状あるいは楕円状に集光し、その光路中に備したレーザー媒質冷却用水槽中で太陽光の集光面よりも短い点に、両凹トロイダル面が一体化したレーザー媒質あるいはトロイダルレンズとレーザー媒質を隔てて配置するかにより、レーザー媒質に平行に高密度太陽光を均一に垂直入射してレーザー媒質を高密度励起させることができることを見出した。
【０００７】
本発明者は、曲率の異なる2つの円柱面の軸が直交して構成する球面レンズについて特許文献１の図６の符号４６において、２つの角柱面の軸が直交して構成する多面体両凸面プリズムについては特許文献１の図１において、凹面鏡や放物面鏡の主鏡と副鏡を組み合わせたカセグレーン式光学系については非球面鏡の製作方法として特許文献２と非特許文献６のFig.1 にレーザー光スキャニング装置として開示している。また凹トロイダルレンズが曲率の異なる2つの凹円柱面の軸が直交して構成する両凹シリンドリカルレンズの構成については特許文献１の図６の符号42、44および特許文献３の第２図に開示している。ここで凹円柱面とは円柱を研磨皿として形成した凹面を意味する。
【０００８】
太陽光を大口径対物レンズや大口径対物ミラーで千倍から一万倍に集光し、かつ、その集光面を矩形あるいは楕円面にした後、両凹トロイダル面で平行光に変換してレーザー媒質の光軸に垂直に入射することにより高効率の励起が可能に成る。集光面が矩形面になるためには曲率の異なる2つの円柱面の軸が直交して構成する両凸トロイダルレンズあるいは2つの円柱レンズ面を離し、夫々の軸を直交して重ね合わした構造の両凸シリンドリカルレンズ、角柱の面幅が異なる２つの角柱の軸が直交して構成する多面体両凸面プリズム、帯状プリズムを組み合わせたフレネルレンズなどの対物レンズを用いる。また鏡により矩形あるいは楕円面を作るためには、大口径円柱状凹面鏡や筒型放物面鏡などの主鏡の焦線の手前に帯状で長尺な凹面鏡または凸凹トロイダル鏡の軸を直交させた副鏡を組み合わせ、この副鏡で反射した光線を主鏡の中央に開けら矩形状開口を通過後主鏡の背面に集光させるか平行光として集光させる方式のカセグレーン式対物鏡を用いる。これらの対物レンズや対物鏡によって集光された矩形あるいは楕円状ビームは、冷却用水槽中で、太陽光の焦点距離よりも短い点に両凹トロイダル面を有するレーザー媒質に直接入る。あるいは両凹とトロイダルレンズを通過した後冷却水を介してレーザー媒質に入る。これらによりレーザー媒質に高密度太陽光を垂直入射させることができる。
【０００９】
本発明ではレーザー媒質がスラブ型ＹＡＧレーザー、ガラスレーザー、セラミックレーザーなどの固体レーザーが望ましいが、高密度太陽光励起によってロッド型固体レーザー、液体レーザー、ガスレーザーも発振させることが出来る。また液体レーザーを太陽光で励起してその出力光で固体レーザーを発振させることも出来る。
【００１０】
本発明ではレーザー母材の中央部に選択的にレーザー媒質としてNdやCrなどをドープしたセラミックレーザーを用いる。この材料はレーザー母材の周辺部は無ドープであるためここに凹トロイダル面を形成させてもこの部分を透過する光はレーザー発振には働かず、レーザー媒質に入ってからレージングが行われる。このためレーザー媒質がドープされていない周辺部に凹トロイダル面を１から４面形成し、その凹トロイダル面から太陽光を入射した時、光軸がずれればレーザー媒質に入射する光量が減じるためレーザー発振が止まる。そこでレーザー媒質の光軸を回転すれば１回転で凹トロイダル面の数だけパルス発振させることができる。
【００１１】
合成石英ガラス製両凹トロイダルレンズとレーザー媒質がドープされている固体レーザーの励起光入射面にシリコーンオイルを塗布し合成石英ガラス製凹トロイダル面からXe2エキシマランプ光を照射すれば、本発明者が「光学材料の接着方法」特許文献４および非特許文献６に開示しているように可視、紫外域に透明で、接着強度180kgf/cm2、８００℃以上の耐熱性を有し、耐水性があり、硬質、強接着、耐熱性に優れた光接着が出来る。この光接着によって太陽光による高密度励起が水中で可能に成る。
【００１２】
冷却水中で両凹トロイダル面と一体化したレーザー媒質のトロイダル面、あるいは凹トロイダルレンズとレーザー媒質とが分離している時にはレーザー媒質の太陽光が入射する面に効果的に太陽光を投入するためにそれら光学材料面に完全反射膜をコーティングする必要が有る。単層膜で完全反射防止を行なう為の条件は、非特許文献７に開示してあるように  位相条件：n1 d = (2m+1)λ/4、と 振幅条件：n12 = n0ns（d=膜厚、λ=入射光の波長、m= 整数、n1=膜の屈折率、n0=光の入射する側の媒質の屈折率、ns＝試料面の屈折率）であり、この2つを満たせば膜表面での反射光は0に成る。位相条件を満たす膜厚はd= (2m+1)λ/ 4n1 である。振幅条件を満たすためには、試料をガラスとすると（ns＝1.5）、空気中（n0=1）での反射率を0にするには膜の屈折率をn1=1.22にしなければ成らない。しかしこのような低屈折率の材料は無い。ところが水の屈折率はn0=1.33であるから、固体レーザー媒質やガラスの屈折率をns＝1.5とすると、膜の屈折率はn1=1.412と計算できる。本発明者は「光学材料のガラスコーティング方法」特許文献５においてシリコーンオイルを試料表面にスピーンコーティングして空気中でXe2エキシマランプを照射すると高硬度で耐水性を有する保護膜形成法を開示している。この膜はXe2ランプの照射時間が増加すると光酸化反応が進行するため、それに応じて屈折率n1=は1.39から1.44ぐらいまで変化させる事が出来る。そこで、レーザー媒質の屈折率nsに応じて膜の屈折率n1を設定できるため反射防止と保護膜を兼ね備えた膜が出来る。
【００１３】
太陽光直接励起レーザーではレーザー装置を常に太陽の方向に向けるため、装置全体を赤道義に固定する必要が有る。しかし、太陽エネルギーを得るのが目的のため天体観測とは異なりラフな追尾でよい。そこで対物鏡である主鏡の軸と直交し、主鏡の線像の手前に配置された副鏡の帯状凹球面鏡を地球の自転に対応して２方向に回転して太陽を追尾することができる。
【００１４】
両凹トロイダル面を１〜４面有するあるいは鼓状トロイダル面を有する固体レーザーやセラミックガラスレーザーなどのレーザー媒質をビア樽、鼓、円筒あるいは箱型ガラス製水冷槽の中心軸と両凹トロイダル面を有するレーザー媒質の光軸を一致させて固定し、その中に冷却水を循環させ、対物レンズやミラーで集光された矩形状太陽光を両凹トロイダル面の位置に照射し、冷却水槽の中心軸を回転することにより１回転で凹トロイダル面の数だけレーザーをパルス発振または鼓型の場合は発振ビームが三日月状の場合もあるが、レーザー媒質を回転しながら部分的に励起するため冷却効果が高く、高効率な連続発振を行うことができる。ここでビア樽型冷却水槽は集光中のまたは鼓型冷却層は発散中の太陽光を屈折率に関係なく、太陽光の一方が平行光線の場合は円筒型、両方が平行光線の場合は箱型が望ましい。この様に冷却水槽の太陽光入射窓が光線と垂直にすることによってレーザー媒質に効率良く光を入射させる事ができる。
【００１５】
冷却水循環水層の中にレーザー媒質すなわち固体レーザーやセラミックガラスレーザーを固定し、水槽の外に両凹トロイダルレンズを固定し、このレンズを通過した高密度平行太陽光を冷却水中のレーザー媒質に入射させることもできる。
【発明の効果】
【００１６】
本発明によれば、大口径対物レンズやミラーにより矩形または楕円状に集光された高密度太陽光を両凹トロイダルレンズで平行にした状態で冷却された固体レーザー媒質の被励起光入射面に垂直に太陽光を入射するため均質励起ができ、連続発振は勿論のことレーザー媒質を回転させてパルス発振ができる高出力高効率太陽励起レーザー装置を提供することができる。
【００１７】
両凹トロイダル面と一体化したレーザー媒質の凹トロイダル面、あるいは両凹トロイダルレンズとレーザー媒質とが分離している時にはレーザー媒質の太陽光が入射する面にシリコーンオイルを光酸化して形成した薄膜が、水中で反射“０”なる完全反射防止膜であり、かつ、モース硬度“５”で高出力レーザーに耐性が有るため、高出力高効率太陽励起レーザー装置を提供することができる。
【００１８】
シリコーンオイルを合成石英製両凹トロイダルレンズとレーザー媒質とに挟み、トロイダルレンズ面から紫外線入射すれば有機シリコーンオイルが光酸化の過程で強接着ができ、トロイダル面とレーザー媒質を一体化した高出力高効率太陽励起レーザー装置を提供することができる。
【発明を実施するための最良の形態】
【００１９】
以下、本発明の実施の形態を図１〜図２３に基づいて説明する。
【００２０】
図１で本発明の原理を曲率の異なる両凸トロイダル面を用いて説明する。太陽光線３に曲率の異なる2つの円柱面４，５の軸が直交して構成する両凸トロイダルレンズ１を通過後矩形状ビームと成って集光されながら冷却用水槽６に入り冷却水７を進行した後、太陽光は円柱面４の焦点距離８よりも短い点に曲率の異なる2つの円柱面９，１０の軸が直交して構成する両凹トロイダルレンズ２を共有するレーザー媒質１１に入る。ここで2つの円柱面９，１０の曲率により平行に成った高密度太陽光線１２はレーザー媒質１１の入射面に垂直に入射して高効率な光励起ができる。
【００２１】
大口径対物レンズが両凸トロイダルレンズで集光する場合の模式図を図２に示す。太陽光３を2つの円柱面の軸が直交して構成する大口径両凸トロイダルレンズ１で千倍から一万倍に集光し、かつ、その集光面を矩形面にした後、両凹トロイダルレンズ２の面で平行光に変換してスラブレーザーなどのレーザー媒質１１に光軸に垂直に入射することにより高効率の励起が可能に成りレーザー光１３が出力される。
【００２２】
大口径対物レンズが多面体両凸面プリズムで集光する場合の模式図を図３に示す。太陽光３を角柱の幅が異なる2つの角柱面１７，１８の軸が直交して構成する多面体両凸面プリズム１９で太陽光を千倍から一万倍に集光し、かつ、その集光面を矩形面にした後、凹トロイダルレンズ２の面で平行光に変換してスラブレーザーなどのレーザー媒質１１に光軸に垂直に入射することにより高効率の励起が可能に成りレーザー光１３が出力される。
【００２３】
大口径対物両凹トロイダル鏡で集光する場合の模式図を図４に示す。太陽光３を曲率の異なる２つの円柱面２０と２１を有する両凹トロイダル鏡２２で太陽光を千倍から一万倍に集光し、かつ、その集光面を矩形面にした後、凹トロイダルレンズ２の面で平行光に変換してスラブレーザーなどのレーザー媒質１１に垂直に入射することにより高効率の励起が可能に成りレーザー光１３が出力される。
【００２４】
大口径対物鏡が放物面鏡や凹面鏡の主鏡と副鏡を組み合わせたカセグレーン式光学で集光する場合の模式図を図５に示す。太陽光３を異なる2つの曲面の軸が直交して構成する凹面鏡や放物面鏡の主鏡２３と、主鏡の線像の手前に配置された帯状をなす凹面鏡と凸面鏡より成る副鏡２４を組み合わせ、主鏡２３の中央部に開口２５を有するたカセグレーン式光学系により太陽光を千倍から一万倍に集光し、かつ、その集光面を矩形面にした後、両凹トロイダルレンズ２の面で平行光に変換してスラブレーザーなどのレーザー媒質１１に光軸に垂直に入射することにより高効率の励起が可能に成る。さらに地球の自転に対応して太陽を追尾するために副鏡２４を回転矢印２６の方向にあおり、または回転矢印２７方向に回転させることができる。
【００２５】
本発明では原理を図１で示した様に、大口径対物レンズや対物鏡で受光した太陽光は矩形状または楕円状ビームに変形させながら集光され冷却用水槽６、７、８、９に入る。この冷却槽の外壁として合成石英ガラス管製冷却槽を図６に示す。合成石英ガラス管製冷却水槽２８の中に凹トロイダルレンズ２の面を共有するスラブレーザーなどのレーザー媒質１１を固定し、冷却水入り口２９と冷却水排出口３０を備え、円筒ガラス管の光軸を回転矢印３１の方向に回転することにより、集光された太陽光が凹トロイダル面の光軸に水平に入った時のみレーザー媒質が最も強く励起されるため、冷却槽が１回転するとレーザー媒質と一体化された凹トロイダル面の数だけパルス発振させることができる。
【００２６】
冷却槽の外壁として合成石英ガラス管製ビア樽状冷却槽３５を図７に示す。集光されてレーザー媒質に入射する太陽光は両凸トロイダル面を有するビア樽状面に垂直に入射する為、冷却水中でも太陽光は屈折せず、合成石英ガラス管製冷却水槽３２の中の凹トロイダルレンズ２の面を共有するレーザー媒質に効率良く入射する。冷却槽は水の入り口２９と冷却水排出口３０を備え、ビア樽型ガラス管の光軸を回転矢印３１の方向に回転することにより、集光された太陽光が凹トロイダル面の光軸に水平に入った時のみレーザー媒質が最も強く励起されるため、冷却槽が１回転するとレーザー媒質と一体化された凹トロイダル面の数だけパルス発振させることができる。
【００２７】
冷却槽の外壁として合成石英ガラス管製鼓状冷却槽３３を図８に示す。焦線を通過して発散しながらレーザー媒質に入射する太陽光は凹凸トロイダル面を有する鼓状面３３に垂直に入射する為、冷却水中でも太陽光は屈折せず、合成石英ガラス管製冷却水槽３３の中の凹凸トロイダルレンズ２の面を共有するレーザー媒質に効率良く入射する。鼓面から入った光は凸面にすることにより平行光をレーザー媒質に入射する事ができる。冷却槽は水の入り口２９と冷却水排出口３０を備え、鼓型ガラス管の光軸を回転矢印３１の方向に回転することにより、集光された太陽光が凹トロイダル面の光軸に水平に入った時のみレーザー媒質が最も強く励起されるため、冷却槽が１回転するとレーザー媒質と一体化された凹トロイダル面の数だけパルス発振させることができる。
【００２８】
冷却槽の外壁として合成石英ガラス製箱型冷却槽３４を図９に示す。冷却水槽に平行に入射する太陽光は入射窓を平面にするとレーザー媒質に効率良く入射する。
【００２９】
凹トロイダルレンズ２の面を１面共有するスラブレーザーなどのレーザー媒質１１を図１０に、２面共有するスラブレーザーなどのレーザー媒質１１を図１１に、４面共有するスラブレーザーなどのレーザー媒質１１を図１２に示す。これらの両凹トロイダルレンズ面とレーザー媒質が一体化したレーザー媒質を合成石英ガラス管製冷却水槽２８，３２，３３、３４に入れると、凹トロイダル面の数だけパルス発振させることができる。
【００３０】
トロイダル両凹面を１面共有するスラブレーザーなどのレーザー媒質１１を図１０に、２面共有するスラブレーザーなどのレーザー媒質１１を図１１に、４面共有するスラブレーザーなどのレーザー媒質１１を図１２に示す。これらの両凹トロイダルレンズ面とレーザー媒質が一体化したレーザー媒質を合成石英ガラス管製冷却水槽２８，３５，３６、３７に入れると、凹トロイダル面の数だけパルス発振させることができる。
【００３１】
凹トロイダルレンズ２の面を円周上に付けて鼓型にし、その中心軸とレーザーロッド３５の光軸を一致させたレーザー媒質は集光されてきた太陽光をレーザー媒質に垂直に入射でき、」しかも、レーザー媒質を回転させる事により連続光を発振させる事ができる。レーザービームは三日月状になる場合もあるがレーザー媒質の熱的影響は少ない。
【００３２】
高密度太陽光を均一に垂直にレーザー媒質の被励起面に入射できるためスラブ型固体レーザーが望ましいが凹トロイダル面とロッド型固体レーザーを一体化することもできる。また図１４に示すように合成石英ガラス管製冷却水槽２８の中に同心円状に合成石英ガラス製細管３２を挿入し、その中に色素などのレーザー媒質３６を入れると液体レーザーを発振させることができる。またこの合成石英ガラス製細管３２にレーザー媒質としてガスを入れればガスレーザーとして動作する。さらにこの液体レーザーの中心軸に図１５に示すように固体レーザーロッド３５を挿入すると太陽光を励起源とした液体レーザー励起固体レーザーを発振させることができる。
【実施例１】
【００３３】
多面体プリズム１９と合成石英ガラス管製冷却槽２８を備えた太陽励起レーザー装置を図１７に示す。１００mm×１００mmの合成石英製多面体プリズム１９を太陽光入射面から７５０mmの点で矩形状太陽光（２mm×１mm）に変換した後、２０ｍｍ×１０mm×１０ｍｍの合成石英ガラス製凹トロイダルレンズ（短辺部の半径R3=−7.5ｍｍ、長辺部半径R4=−1５ｍｍ ）により密度５０００倍の平行光に変換された太陽光をセラミックYAGレーザー（１×２×２）に投入する。実際には半径１５０ｍｍの合成石英管で作った冷却水槽の中央部に凹トロイダルレンズとセラミックYAGレーザー媒質が一体化したレーザーヘッドを固定し、冷却水を循環させた。ここでガラス管や冷却水の中で屈折が起こらないようにするために、合成石英管の表面から常に太陽光が入射するように、合成石英管の軸とレーザー光が出る軸と、パルスレーザー発振のための回転軸、それらの軸全てが太陽光の一方の焦線（F=750mm）と一致させている。
【実施例２】
【００３４】
両凸トロイダル鏡３７で集光した太陽光を直接合成石英ガラス管製ビア樽型冷却槽３２の中の両凹トロイダルレンズ２と一体となったレーザー媒質１１に入射する太陽励起レーザー装置を図１８に示す。主鏡としての両凸トロイダル鏡３７（大きさ１０００mm×１０００ｍｍ、焦点距離R5=1000mm）の焦線の20mm手前（主鏡より980mm）に最大直径半径１５０ｍｍ、最小直径１００mmの合成石英管で作ったビア樽型冷却水槽３２の中央部に凹トロイダルレンズ２とセラミックYAGレーザー媒質１１が一体化したレーザーヘッドを固定し、冷却水を循環させた。矩形状に集光した太陽光（１０mm×２０mm）を２０ｍｍ×１０mm×１０ｍｍの合成石英ガラス製凹トロイダルレンズ（短辺部の半径R3=7.5ｍｍ、長辺部の半径R4=１５ｍｍ ）により密度５０００倍の平行光に変換し、この光セラミックYAGレーザー（１０×２０×５）に投入する。ここでガラス管や冷却水の中で屈折が起こらないようにするために、合成石英管の表面から常に太陽光が入射するように、ビア樽型合成石英管の軸とレーザー光が出る軸と、パルスレーザー発振のための回転軸、それらの軸全てが太陽光の一方の焦線と一致させている。
【実施例３】
【００３５】
主鏡の両凸トロイダル鏡３７で集光した太陽光を副鏡の両凸トロイダル鏡３８を組み合わせたカセグレーン式光学系で太陽光を平行光に変換した後、主鏡３７の中央部に開けた小さな開口２５を通過した平行太陽光は合成石英ガラス製筒型冷却槽２８の中の両凹トロイダルレンズ２と一体となったレーザー媒質１１に入射する太陽励起レーザー装置を図１９に示す。主鏡としての両凸トロイダル鏡３７（大きさ１０００mm×１０００ｍｍ、焦点距離R5=1000mm）の焦線の20mm手前（主鏡より980mm）に副鏡（大きさ20mm×４0mmを固定し、副鏡で反射した太陽光は主鏡の中央部２５の矩形状穴（２５mm×１３mm）を通過しした後、主鏡背面の２００ｍｍ後方（副鏡の焦点距離１２００mmの手前２００ｍｍ）の点で矩形状太陽光（１０mm×２０mm）に集光した後、２０ｍｍ×１０mm×１０ｍｍの合成石英ガラス製凹トロイダルレンズ（短辺部の半径R3=7.5ｍｍ、長辺部の半径R4=１５ｍｍ ）により密度５０００倍の平行光に変換された太陽光をセラミックYAGレーザー（１０×２０×５）に投入する。実際には半径１５０ｍｍの合成石英管で作った冷却水槽の中央部に凹トロイダルレンズとセラミックYAGレーザー媒質が一体化したレーザーヘッドを固定し、冷却水を循環させた。ここでガラス管や冷却水の中で屈折が起こらないようにするために、合成石英管の表面から常に太陽光が入射するように、合成石英管の軸とレーザー光が出る軸と、パルスレーザー発振のための回転軸、それらの軸全てが太陽光の一方の焦線（F=750mm）と一致させている。さらに地球の自転に合わせ太陽を追尾するために副鏡２４の水平軸２６および垂直軸２７をあおることができる。
【実施例４】
【００３６】
主鏡の円柱型放物面鏡２３で集光した太陽光を副鏡の凸凹トロイダル鏡２６を組み合わせたカセグレーン式光学系で太陽光を平行光に変換した後、主鏡２３の中央部に開けた小さな開口２５を通過した平行太陽光は合成石英ガラス製筒型冷却槽２８の中の両凹トロイダルレンズ２と一体となったレーザー媒質１１に入射する太陽励起レーザー装置を図２０に示す。主鏡としての円柱放物面鏡２３（大きさ１０００mm×１０００ｍｍ、焦点距離R5=1000mm）の焦線の20mm手前（主鏡より980mm）に副鏡（大きさ20mm×1000mm、短辺部は凸面で半径R５＝＋４３mm、長辺部は凹面でR6=−６２５mm：焦点距離１２００mm）を固定し、副鏡で反射した太陽光は主鏡の中央部２５の矩形状穴（２５mm×１３mm）を通過した後、主鏡背面の２００ｍｍ後方（副鏡の焦点距離１２００mmの手前２００ｍｍ）の点で矩形状太陽光（１０mm×２０mm）に集光した後、２０ｍｍ×１０mm×１０ｍｍの合成石英ガラス製凹トロイダルレンズ（短辺部の半径R3=7.5ｍｍ、長辺部の半径R4=１５ｍｍ ）により密度５０００倍の平行光に変換された太陽光をセラミックYAGレーザー（１０×２０×５）に投入する。実際には半径１５０ｍｍの合成石英管で作った冷却水槽の中央部に凹トロイダルレンズとセラミックYAGレーザー媒質が一体化したレーザーヘッドを固定し、冷却水を循環させた。ここでガラス管や冷却水の中で屈折が起こらないようにするために、合成石英管の表面から常に太陽光が入射するように、合成石英管の軸とレーザー光が出る軸と、パルスレーザー発振のための回転軸、それらの軸全てが太陽光の一方の焦線（F=750mm）と一致させている。さらに地球の自転に合わせ太陽を追尾するために副鏡２４の水平軸２６および垂直軸２７をあおることができる。
【実施例５】
【００３７】
主鏡の円柱型放物面鏡２３で集光した太陽光を副鏡の凸凹トロイダル鏡２６を組み合わせたカセグレーン式光学系で太陽光を平行光に変換した後、主鏡２３の中央部に開けた小さな開口２５を通過した平行太陽光は合成石英ガラス製筒型冷却槽２８の中の両凹トロイダルレンズ２と一体となったレーザー媒質１１に入射する太陽励起レーザー装置を図２１に示す。主鏡としての円柱放物面鏡２３（大きさ１０００mm×１０００ｍｍ、焦点距離R5=1000mm）の焦線の20mm手前（主鏡より980mm）に副鏡（大きさ20mm×1000mm、短辺部は凸面で半径R５＝＋４３mm、長辺部は凹面でR6=−６２５mm：焦点距離１２００mm）を固定し、副鏡で反射した太陽光は主鏡の中央部２５の矩形状穴（２５mm×１３mm）を通過した後、主鏡背面の２００ｍｍ後方（副鏡の焦点距離１２００mmの手前２００ｍｍ）の点で矩形状太陽光（１０mm×２０mm）に集光した後、２０ｍｍ×１０mm×１０ｍｍの合成石英ガラス製凹トロイダルレンズ（短辺部の半径R3=7.5ｍｍ、長辺部の半径R4=１５ｍｍ ）により密度５０００倍の平行光に変換された太陽光をセラミックYAGレーザー（１０×２０×５）に投入する。実際には最大直径半径１５０ｍｍ、最小直径１００mmの合成石英管で作ったビア冷却水槽の中央部に凹トロイダルレンズとセラミックYAGレーザー媒質が一体化したレーザーヘッドを固定し、冷却水を循環させた。ここでガラス管や冷却水の中で屈折が起こらないようにするために、合成石英管の表面から常に太陽光が入射するように、合成石英管の軸とレーザー光が出る軸と、パルスレーザー発振のための回転軸、それらの軸全てが太陽光の一方の焦線（F=750mm）と一致させている。さらに地球の自転に合わせ太陽を追尾するために副鏡２４の水平軸２６および垂直軸２７をあおることができる。
【実施例６】
【００３８】
両凸トロイダル鏡３７で集光した太陽光を直接合成石英ガラス管製ビア樽型冷却槽３２の変わりに箱型冷却水槽３４（図２２）をつけ、両凹トロイダルレンズ２とレーザー媒質１１を分離して、レーザー媒質の冷却効果を高めた太陽励起レーザー装置を示す。
【実施例７】
【００３９】
本発明ではレーザー媒質の中心部のみレーザー媒質がドープされているセラミックレーザーを用い、レーザー媒質がドープされていない周辺部に凹トロイダル面を面形成することが望ましいが、凹トロイダル面を有する合成石英製平凹レンズとレーザー媒質とをシリコーンオイルで挟み、合成石英ガラス側からXe2エキシマアンプ光を６０分から１２０分照射すると180 kgf/cm2以上の接着強度、500℃以上の耐熱性、200 nmでの透過率80％以上の特性が得られ、レーザー媒質とトロイダルレンズの一体物ができる。この光接着において太陽光による高密度励起が水中で可能に成った。
【実施例８】
【００４０】
凹トロイダル面やと凹トロイダルレンズとレーザー媒質とが分離している時にはレーザー媒質の太陽光が入射面にシリコーンオイルを塗布し、空気中でXe2エキシマアンプ光を６０分照射すると、冷却水中で耐性が有り、かつ、完全反射防止の無い硬質膜ができる。
冷却水中で凹トロイダル面に効果的に太陽光を投入するためにはそれら光学材料面に完全反射膜をコーティングする必要が有る。単層膜で完全反射防止を行なう為の条件は、非特許文献７に開示してあるように  位相条件：n1 d = (2m+1)λ/4、と 振幅条件：n12 = n0ns（d=膜厚、λ=入射光の波長、m= 整数、n1=膜の屈折率、n0=光の入射する側の媒質の屈折率、ns＝試料面の屈折率）であり、この2つを満たせば膜表面での反射光は0に成る。位相条件を満たす膜厚はd= (2m+1)λ/ 4n1 である。振幅条件を満たすためには、試料をガラスとすると（ns＝1.5）、空気中（n0=1）での反射率を0にするには膜の屈折率をn1=1.22にしなければ成らない。しかしこのような低屈折率の材料は無い。ところが水の屈折率はn0=1.33であるから、固体レーザー媒質やガラスの屈折率をns＝1.5とすると、膜の屈折率はn1=1.412と計算できる。本発明者は「光学材料のガラスコーティング方法」特許文献７においてシリコーンオイルを試料表面にスピーンコーティングして空気中でXe2エキシマランプを照射すると高硬度で耐水性が有る保護膜の形成方法を開示している。この膜は図２３に示すようにXe2ランプの照射時間が増加すると光酸化反応が進行するため、それに応じて屈折率n1=は1.39から1.44ぐらいまで変化させる事が出来る。そこで、レーザー媒質の屈折率nsに応じて膜の屈折率n1を設定できるため反射防止と保護膜を兼ね備えた膜が出来る。
【産業上の利用可能性】
【００４１】
本発明によれば、大口径対物レンズやミラーにより矩形状に集光された高密度太陽光を凹トロイダルレンズで平行にした状態で冷却された固体レーザー媒質の被励起光入射面に垂直に太陽光を入射するため均質励起ができ、連続発振は勿論のことレーザー媒質を回転させてパルス発振ができる高出力高効率太陽励起レーザー装置を提供することができる。
【００４２】
凹トロイダル面と一体化したレーザー媒質の凹トロイダル面、あるいは凹トロイダルレンズとレーザー媒質とが分離している時にはレーザー媒質の太陽光が入射する面にシリコーンオイルを光酸化して形成した薄膜が、水中で反射“０”なる完全反射防止膜であり、かつ、モース硬度“５”で高出力レーザーに耐性が有るため、高出力高効率太陽励起レーザー装置を提供することができる。
【図面の簡単な説明】
【００４３】
【図１】太陽励起レーザー用光学系原理図
【図２】太陽光を大口径両凸トロイダルレンズで集光して両凹トロイダルレンズ面で平行光にしてレーザー媒質を励起する模式図
【図３】太陽光を多面体両凸プリズムで集光して両凹トロイダルレンズ面で平行光にしてレーザー媒質を励起する模式図
【図４】太陽光を両凸トロイダル鏡で集光して両凹トロイダルレンズ面で平行光にしてレーザー媒質を励起する模式図
【図５】太陽光を大口径放物面鏡で集光して凸凹トロイダルレンズ面で平行光にしてレーザー媒質を励起する模式図
【図６】合成石英ガラス管製円筒型冷却水槽模式図
【図７】合成石英ガラスビア樽筒型冷却水槽模式図
【図８】合成石英ガラス管製鼓型冷却水槽模式図
【図９】合成石英ガラス管製箱型冷却水槽模式図
【図１０】凹トロイダル面を1面共有する固体レーザー媒質模式図
【図１１】凹トロイダル面を２面共有する固体レーザー媒質模式図
【図１２】凹トロイダル面を４面共有する固体レーザー媒質模式図
【図１３】凹トロイダル面を円周に有する鼓型固体レーザー媒質模式図
【図１４】太陽光励起色素レーザー装置模式図
【図１５】太陽光を励起源とした色素レーザー励起固体レーザー装置模式図
【図１６】大口径両凸トロイダルレンズで集光した太陽光を合成石英ガラス管製冷却水槽中の両凹トロイダルレンズ面に入射する太陽光励起レーザー装置模式図
【図１７】大口径多面体両凸プリズムで集光した太陽光を合成石英ガラス管製冷却水槽中の両凹トロイダルレンズ面に入射する太陽光励起レーザー装置模式図（実施例１）
【図１８】大口径両凸トロイダル鏡で集光した太陽光を合成石英ガラス製ビア樽型冷却水槽中の両凹トロイダルレンズ面に入射する太陽光励起レーザー装置模式図（実施例２）
【図１９】大口径両凸トロイダル鏡で集光した太陽光を両凸トロイダル鏡で反射し、平行光に変換した後合成石英ガラス管製円筒型冷却水槽中の両凹トロイダルレンズ面に入射する太陽光励起レーザー装置模式図（実施３）
【図２０】大口径円柱型放物面鏡で集光した太陽光を凸凹トロイダル鏡で反射し、放物面鏡の背後に設置した合成石英ガラス管製円筒型冷却水槽中の両凹トロイダルレンズ面に入射する太陽光励起レーザー装置模式図（実施４）
【図２１】大口径円柱型放物面鏡で集光した太陽光を凸凹トロイダル鏡で反射し、放物面鏡の背後に設置した合成石英ガラス管製ビア樽型冷却水槽中の両凹トロイダルレンズ面に入射する太陽光励起レーザー装置模式図（実施５）
【図２２】レーザー媒質と凹トロイダルレンズあるいは両凹シリンドリカルレンズが冷却水を挟んで配置する場合の箱型冷却水装置模式図（実施例６）
【図２３】Xe2  エキシマレーザー照射時間と屈折率の関係（実施例８）
【符号の説明】
【００４４】
１  両凸トロイダルレンズ
２  両凹トロイダルレンズ
３  太陽光線
４  曲率の小さい円柱面
５  曲率が符号４よりも大きな円柱面
６  冷却水槽
７  冷却水
８  円柱面（符号４）の焦点
９  曲率が小さいトロイダルレンズの円柱面
１０  曲率が符号9よりも大きなトロイダルレンズの円柱面
１１  固体レーザー媒質
１２  平行な高密度太陽光線
１３  レーザー光線
１４  曲率が大きい凸トロイダルレンズの曲面
１５  曲率が符号14よりも小さい凸トロイダルレンズの曲面
１６  両凸トロイダルレンズ
１７  角柱の幅が大きな多面体両凸プリズムの角柱面
１８  角柱の幅が符号17よりも小さな多面体両凸プリズムの角柱面
１９  多面体両凸面プリズム
２０  曲率の長いトロイダル鏡面
２１  曲率が符号２０よりも小さなトロイダル鏡面
２２  両凸トロイダル鏡
２３  大口径球放物面鏡（主鏡）
２４  帯状放物面鏡（副鏡）
２５  開口部
２６  副鏡のあおり方向を示す回転矢印
２７  副鏡の回転方向を示す回転矢印
２８  円筒型ガラス管製冷却管
２９  冷却水入り口
３０  冷却水出口
３１  パルスレーザー発振のための回転方向を示す矢印
３２  ビア樽型凸トロイダル面を有する冷却水槽
３３  鼓型凹トロイダル面を有する冷却水槽
３４  箱型冷却水槽
３５  レーザーロッド
３６  液体レーザー媒質
３７  両凹トロイダル鏡
３８  両凸トロイダル鏡
【図１】
2007227406.tif 000003
【図２】
2007227406.tif 000004
【図３】
2007227406.tif 000005
【図４】
2007227406.tif 000006
【図５】
2007227406.tif 000007
【図６】
2007227406.tif 000008
【図７】
2007227406.tif 000009
【図８】
2007227406.tif 000010
【図９】
2007227406.tif 000011
【図１０】
2007227406.tif 000012
【図１１】
2007227406.tif 000013
【図１２】
2007227406.tif 000014
【図１３】
2007227406.tif 000015
【図１４】
2007227406.tif 000016
【図１５】
2007227406.tif 000017
【図１６】
2007227406.tif 000018
【図１７】
2007227406.tif 000019
【図１８】
2007227406.tif 000020
【図１９】
2007227406.tif 000021
【図２０】
2007227406.tif 000022
【図２１】
2007227406.tif 000023
【図２２】
2007227406.tif 000024
【図２３】
2007227406.tif 000025
【手続補正書】
【提出日】平成17年11月24日(2005.11.24)
【手続補正１】
【補正対象書類名】図面
【補正対象項目名】図２
【補正方法】変更
【補正の内容】
【図２】
2007227406.tif 000026